(57)【要約】【課題】制御用のマイコンの故障や一時的な誤動作を新たなマイコンやＩＣで監視することなく、電源回路による電源の供給を停止することができ、ノイズによるラッチアップや破損による故障の際にも安全に電源の供給を停止する電源回路、および上記電源回路を使用した薄型テレビジョン装置の提供を目的とする。【解決手段】電源回路に、マイコン４０ａから出力されるスタート信号の波形を監視するセーフティー回路１６を設け、セーフティー回路１６に入力されたスタート信号がパルス波でない場合は、電源供給遮断部１６ｃにてスタート信号をＤＣ／ＡＣ回路１３に出力するのを遮断する。これによりＤＣ／ＡＣ回路１３により一次側から二次側への電源の供給を遮断する。【選択図】図２
2008066776.tif 000002
【特許請求の範囲】
【請求項１】
映像を表示する薄型ディスプレイと、
マイコンによる制御により上記薄型ディスプレイに映像を表示する制御基板と、
商用電源を整流する整流回路と、ロジックＩＣを用いて上記整流回路が整流した電源を交流に変換するＤＣ／ＡＣ回路と、上記ＤＣ／ＡＣ回路が生成した交流電源を上記薄型ディスプレイと上記制御基板に供給するメイントランスから成る電源回路とを有し、
上記マイコンから出力するスタート信号のデューティ比を可変して上記ロジックＩＣに出力することにより、上記ＤＣ／ＡＣ回路にて生成される交流電源の電圧を調整する薄型テレビジョン装置において、
当該電源回路は、上記マイコンから出力されるスタート信号が正常なパルス波である場合は上記スタート信号を上記ロジックＩＣに出力するとともに、上記スタート信号が正常なパルス波でない場合は、上記スタート信号を上記ロジックＩＣに出力しないことで、上記ＤＣ／ＡＣ回路による交流電源の供給を停止させるセーフティー回路を有し、
上記セーフティー回路は、上記マイコンのスタート信号出力端子と接続するとともに、コンデンサにより入力されたスタート信号がパルス波である場合は上記スタート信号を通過させるパルス波形判断部と、
上記パルス波形判断部の出力端子と接続して、入力されたパルス波の正の半波を整流した後平滑化して直流のマイコン正常起動信号を出力するマイコン起動判断部と、
スイッチとしての第一のトランジスタと第二のトランジスタとから成すとともに、上記マイコン正常起動信号が上記第二のトランジスタに出力されない場合は、上記第二のトランジスタにより上記第一のトランジスタに出力されるトリガー信号の供給を停止することで、上記マイコンから出力されるスタート信号を上記第一のトランジスタに接続したグランドに出力して、上記スタート信号の上記ＤＣ／ＡＣ回路への供給を遮断する回路であって、
上記第一のトランジスタのコレクタに上記マイコンのスタート信号出力端子を接続し、エミッタをグランドに接続してベースにトリガー信号を出力するトリガー信号出力部を接続し
上記第二のトランジスタのコレクタを上記第一のトランジスタのベースと上記トリガー信号を出力するトリガー信号出力部と並列に接続するとともに、コレクタを上記マイコン起動判断部の出力端子と接続し、エミッタをグランドに接続する構成である電源供給遮断部とから成ることを特徴とする薄型テレビジョン装置。
【請求項２】
マイコンからの制御により一次側からの電源を二次側に供給する電源回路において、
上記マイコンは、正常な起動状態ではパルス波によって信号出力を行うとともに、ラッチアップや故障により正常な起動が行えない場合は上記信号出力がハイ状態かロー状態のいずれかで出力される構成であって、
当該電源回路は、上記マイコンがパルス波を出力するかを判断するパルス波形判断手段と、
上記パルス波形判断手段がパルス波の出力を検出した場合は、直流のマイコン正常起動信号を出力するマイコン起動判断手段と、
上記マイコン起動判断手段からマイコン正常起動信号が出力されない場合は、当該電源回路の一次側から二次側への電源の供給を停止する電源供給停止手段とを有することを特徴とする電源回路。
【請求項３】
マイコンからの制御により一次側からの電源を二次側に供給する電源回路において、
上記マイコンは、正常な起動状態をパルス波によって出力する起動信号出力手段を有し、
当該電源回路は、上記起動信号出力手段が正常なパルス波を出力するかを判断するパルス波形判断手段と、
上記パルス波形判断手段が正常なパルス波であると判断した場合は、直流のマイコン正常起動信号を出力するマイコン起動判断手段と、
上記マイコン起動判断手段からマイコン正常起動信号が出力されない場合は、当該電源回路の一次側から二次側への電源の供給を停止する電源供給停止手段とを有することを特徴とする電源回路。
【請求項４】
上記起動信号出力手段は、上記マイコンの内部ロジックによりパルス波を発生させることで実現されることを特徴とする請求項２または請求項３のいずれかに記載の電源回路。
【請求項５】
当該電源回路は、上記マイコンからスタート信号を当該電源回路に出力するとともに、上記スタート信号のデューティ比を可変することでスイッチング手段により直流電源から交流電源を生成する構成であって、
上記パルス波形判断手段は、上記マイコンから出力されるスタート信号の波形を判断することにより上記マイコンの起動状態を判断することを特徴とする請求項２〜請求項４のいずれかに記載の電源回路。
【請求項６】
上記マイコンは、振動子の振動周期に基づいて生成されるクロック信号を出力し、
上記起動信号出力手段は、上記マイコンのクロック信号出力端子によって実現されることを特徴とする請求項２〜請求項５のいずれかに記載の電源回路。
【請求項７】
上記パルス波形判断手段は、上記マイコンから出力されるパルス波の形状がハイ状態かロー状態のどちらか一方のままである場合は、上記マイコンが正常でないと判断することを特徴とする請求項２〜請求項５のいずれかに記載の電源回路。
【請求項８】
上記パルス波形判断手段は、コンデンサを用いて上記マイコンから入力される信号の波形がパルス波である場合は上記信号を上記マイコン起動判断手段に出力し、上記マイコンから入力される信号の波形がパルス波でない場合は上記マイコン起動判断手段に信号を出力しないことで、上記マイコンの正常状態を判断することを特徴とする請求項２〜請求項７のいずれかに記載の電源回路。
【請求項９】
上記マイコン起動判断手段は、入力された上記パルス波をダイオードにより整流した後、平滑化して上記マイコン正常起動信号を生成することを特徴とする請求項２〜請求項８のいずれかに記載の電源回路。
【請求項１０】
上記電源供給停止手段は、上記マイコン起動判断手段より上記マイコン正常起動信号が出力されない場合は、上記スタート信号を上記スイッチング手段に出力するのを遮断することを特徴とする請求項５〜請求項８のいずれかに記載の電源回路。
【請求項１１】
上記電源供給停止手段は、トランジスタを用いてコレクタを上記マイコンのスタート信号出力端子と並列に接続するとともにエミッタをグランドに接続し、
上記電源供給停止手段に出力される上記マイコン正常起動信号に基づいて、
上記コレクタとエミッタ間の同通を切り替えて上記スイッチング手段への上記パルス波の出力を切り替えることを特徴とする請求項５〜請求項１０のいずれかに記載の電源回路。
【発明の詳細な説明】
【技術分野】
【０００１】
マイコンでの制御によって一次側からの電源を二次側へ供給する電源回路において、以上発生時に一次側から二次側への電源の供給を停止する電源回路、および上記電源回路を使用する薄型テレビジョン装置に関する。
【背景技術】
【０００２】
従来電源回路の構成として図８に示す電源回路が知られている。図８は従来の電源回路の構成を表すブロック図である。電源回路１は、商用電源等の電圧の安定しない交流の一次側電源から安定化電源を生成して二次側に供給するためのものである。そのため、電源回路１は、交流電圧を直流に変換する整流回路２と、上記変換した直流電圧を平滑化する平滑化回路３、平滑化した直流電圧を再度交流に変換するスイッチング回路４、スイッチング回路４が交流に変換した電圧を絶縁二次側と絶縁しつつ供給するメイントランス５、メイントランス５から分圧によって電圧を供給される二次側電源回路６とを有する構成である。また、二次側回路のマイコン７により電源回路１は、二次側電源回路６の出力電圧に基づいてスイッチング回路４のフィードバック制御を行う。
【０００３】
上述した構成の電源回路では、商用電源等の一次電源２００から供給された交流電源は整流回路２により整流された後、平滑化回路３にて平滑化されて直流に変換される。上記直流に変換された電源はスイッチング回路４にて再度交流に変換されて、メイントランス５にて絶縁された状態で各二次側電源回路６に供給される。このとき、スイッチング回路４は、マイコン７からの起動信号を受け入れることで入力された電源を直流から交流に変換する。通常スイッチング回路４には、ＰＷＭ制御を行うロジックＩＣ４ａを内蔵している。そのため、マイコン８から出力される起動信号は、ロジックＩＣ４ａの入力端子に入力することでロジックＩＣ４ａを起動させ電源を直流から交流に変換する。さらに、メイントランス５を介して出力された電源は、各二次側電源６ａ、６ｂ、６ｃに供給される。二次側電源回路６ａ、６ｂ、６ｃは入力された直流電源を昇圧や定圧して各回路に電源を供給する。
【０００４】
上述した電源回路１ではマイコン７が、スイッチング回路４の起動を制御しており、マイコン７が電源回路内の異常の検出の際には、マイコン７がスイッチング回路４の起動を停止させることで、メイントランス５を介して二次側電源回路６に供給される電源の供給を停止させる異常処理をおこなっていた。しかしながら上述した構成の電源回路では、マイコン７が誤動作や故障した場合では電源回路１での一次側から二次側への電源の供給を停止することはできなかった。マイコン７の故障の原因としてラッチによる起動の停止や破損等が考えられ、いずれの場合もマイコン７はスイッチング回路４を制御することができず、場合によっては電源回路１の破損を引き起こすこともあった。
【０００５】
マイコンの異常を検出して、マイコンが破損等により停止した場合でも負荷を駆動させる駆動制御部が開示されている。上記駆動制御部は、マイコンの異常を検出した場合はリセットパルス信号を出力するウォッチドック機能付リセットＩＣと、このリセットパルスを受信すると電源電圧を積分して駆動電圧を出力する駆動信号出力部と、上記駆動信号によって負荷を駆動するスイッチング手段とを有している。上述した駆動制御部では、マイコンが機能を停止した場合、ウォッチドック機能付リセットＩＣがリセットパルスを駆動信号出力部に出力する。駆動信号出力部は、上記リセットパルスを受信すると駆動信号を蓄積してスイッチング手段に出力することにより負荷を駆動する（例えば、特許文献１参照。）。
【０００６】
また、複数のマイコンからなる制御装置において、どれか一つのマイコンが異常動作を行っている場合、容易に異常動作を行っているマイコンを検出する異常検出装置が開示されている。上記異常検出装置では、異常信号をどれか一つのマイコンが受信した際、上記信号を他のマイコンに転送するとともに、転送された信号を受信したマイコンが上記信号を送信したマイコンに返信することで、所定時間に返信がなかったマイコンを異常と検出する機能を有している（例えば、特許文献２参照。）。
【０００７】
同様な、複数のマイコンからなる制御装置において、特別な監視プログラムや入出力端子を設けることなくマイコンの異常動作を検出する方法が開示されている（例えば、特許文献３参照。）。
【０００８】
さらには、二次側回路での異常発生やマイコンからの指令に基づいて電源を遮断する電源制御装置が開示されている。上記電源制御装置では、一次側電源と二次側電源との間にスイッチを介在させ、二次側電源の異常に応じて二次側電源からのパワーオフ信号を出力する。上記したパワーオフ信号により上記スイッチを作動させて一次側電源からの二次側電源に供給される電源を遮断する（例えば、特許文献４参照）。
【特許文献１】特開２００２−２６８９０９
【特許文献２】特開２００２−４１３２９
【特許文献３】特開平１０−１２７０６１
【特許文献４】２００１ー１３６６６1
【発明の開示】
【発明が解決しようとする課題】
【０００９】
上述した特許文献１の発明は、次のような課題があった。つまり、ウオッチドックタイマー付ＩＣが故障した場合は、電源回路の異常処理を行うことが出来ない。ウオッチドックタイマー付ＩＣはＩＣであるためマイコンと同様ノイズによるラッチアップによる故障を引き起こす場合が考えられる。そのため、マイコンと同様にウオッチドックタイマー付ＩＣが故障した際、一次側から二次側への電源を供給を遮断することができなくなり、課題をなんら解決しない。さらに、特許文献１の発明は、マイコンの故障時に負荷を駆動させるためのものであり、本発明の一次側から二次側への電源の供給を停止して負荷を停止させる目的とは課題が異なる。
【００１０】
また特許文献２、特許文献３の発明は、マイコンを複数有しているため特許文献１の発明と同様に、全てのマイコンが故障したような場合では課題を解決することができない。さらに、特許文献２および特許文献３の発明では、制御するためのマイコンを複数有することが前提であり、さらにはマイコンの異常が検出された際、本発明の課題のような負荷を停止する方法までは開示されていない。
【００１１】
さらに特許文献４の発明は次のような課題があった。特許文献４の発明は一次側と二次側との間に遮断用のスイッチを設け、上記スイッチをマイコンにて制御している。そのためマイコンが故障した場合は、当然スイッチを制御することができず、本発明の課題をなんら解決しない。
【００１２】
本発明は、上記課題にかんがみてなされたもので、制御用のマイコンの故障や一時的な誤動作を新たなマイコンやＩＣで監視することなく、ノイズによるラッチアップや破損による故障の際に、安全に電源の供給を停止することができる電源回路、および上記電源回路を使用した薄型テレビジョン装置の提供を目的とする。
【課題を解決するための手段】
【００１３】
上記目的を達成するために、請求項２に記載の電源回路では、マイコンからの制御により一次側からの電源を二次側に供給する電源回路において、
上記マイコンは、正常な起動状態ではパルス波によって信号出力を行うとともに、ラッチアップや故障により正常な起動が行えない場合は上記信号出力がハイ状態かロー状態のいずれかで出力される構成であって、当該電源回路は、上記マイコンがパルス波を出力するかを判断するパルス波形判断手段と、上記パルス波形判断手段がパルス波の出力を検出した場合は、直流のマイコン正常起動信号を出力するマイコン起動判断手段と、上記マイコン起動判断手段からマイコン正常起動信号が出力されない場合は、当該電源回路の一次側から二次側への電源の供給を停止する電源供給停止手段とを有する構成としている。
【００１４】
上記のように構成した電源回路では、マイコンは正常状態では信号出力をパルス波により出力し、ラッチアップや故障の場合では信号出力をハイ状態かロー状態で出力する。そのため、マイコンが正常な起動を行いパルス波を出力している状態では、パルス波形判断手段は正常なパルス波が出力されていると判断し、起動信号出力手段からパルス波を発生させる。マイコン起動判断手段は、上記パルス波を受信すると直流の正常起動判断信号を電源供給停止手段に出力する。電源供給停止手段は、マイコン起動判断手段から正常起動判断信号が出力されない場合は、当該電源回路での一次側から二次側への電源の供給を停止させることで負荷の起動を停止する。そのため、マイコンがラッチや破損等による何らかの原因で停止した場合でも、マイコンの起動の状態を基に、一次側から二次側への電源の供給を停止して負荷を停止させることが可能となる。
【００１５】
上述したマイコンにおいて出力信号はマイコンの正常起動時にパルス波を出力するものであればよく、そのためマイコンの内部にパルス波を出力するブロックを設けるものであってもよい。そのため、請求項３に記載の電源回路では、マイコンからの制御により一次側からの電源を二次側に供給する電源回路において、
上記マイコンは、当該マイコンの正常な起動をパルス波によって出力する起動信号出力手段を有し、当該電源回路は、上記起動信号出力手段が正常なパルス波を出力するかを判断するパルス波形判断手段と、上記パルス波形判断手段が正常なパルス波であると判断した場合は、直流のマイコン正常起動信号を出力するマイコン起動判断手段と、上記マイコン起動判断手段からマイコン正常起動信号が出力されない場合は、当該電源回路の一次側から二次側への電源の供給を停止する電源供給停止手段とを有する構成としている。
【００１６】
上記のように構成した発明において、マイコンは内部に正常状態をパルス波によって表す起動信号出力手段を有し、マイコンが正常な起動を行い上記起動信号出力手段からパルス波を出力している状態では、パルス波形判断手段は正常なパルス波が出力されていると判断し、起動信号出力手段からパルス波を発生させる。マイコン起動判断手段は、上記パルス波を受信すると直流の正常起動判断信号を電源供給停止手段に出力する。電源供給停止手段は、マイコン起動判断手段から正常起動判断信号が出力されない場合は、当該電源回路での一次側から二次側への電源の供給を停止させることで負荷の起動を停止する。上述した起動信号出力手段の一例としては、予めマイコンの正常起動時には、出力端子からパルス波を出力するロジックを新たに構成するものであってもよいし、既存の信号出力を流用するものであってもよい。
【００１７】
上述した起動信号出力手段の構成としては、マイコンの内部ロジックを用いて実現してもよい。そのため、請求項４にかかる発明では、上記起動信号出力手段は、当該マイコンの内部ロジックによりパルス波を発生させることで実現される構成としている。
上記のように構成した電源回路では、マイコンが常に正常な起動を行っている場合は、マイコンの内部ロジックにてパルス波を出力し続ける。そのため後付の装置が不必要となり、後付けの装置自体の故障による当該電源回路の誤動作も防止することが可能となり故障に強く安定して起動する電源回路を提供することができる。上述した内部ロジックの具体的な一例としては、予めマイコンに内蔵されているクロック信号等を用いて実現してもよい。
【００１８】
マイコンの内部ロジックによりパルス波を発生させる具体的な構成として請求項５に記載の電源回路は、当該電源回路は、上記マイコンからスタート信号を当該電源回路に出力するとともに、上記スタート信号のデューティ比を可変することでスイッチング手段により直流電源から交流電源を生成する構成であって、上記パルス波形判断手段は、上記マイコンから出力されるスタート信号の波形を判断することにより上記マイコンの起動状態を判断する構成としている。
【００１９】
上記のように構成した発明では、マイコンのスタート信号出力端子から出力されるスタート信号の波形によってマイコンの状態を判断する。このため、後付の装置が必要ない簡易な構成とすることができ、後付の装置の故障といった副次的な故障を発生させない安定した起動を行う電源回路を提供することができる。
【００２０】
また、マイコンの内部ロジックによりパルスを発生させる他の具体例として請求項６に記載の電源回路は、上記マイコンは、振動子の振動周期に基づいて生成されるクロック信号を出力し、上記起動信号出力手段は、上記マイコンのクロック信号出力端子によって実現される構成としている。
上記のように形成された電源回路では、マイコンから出力されるクロック信号を基にマイコンの状態を判断する。このため、後付の装置が必要ない簡易な構成とすることができる。
【００２１】
また、マイコン起動判断手段が起動信号出力手段から出力されるパルス波を判断する具体的な構成の一例として、請求項７にかかる電源回路は、上記マイコン起動判断手段は、上記起動信号出力手段から出力されるパルス波の形状がハイ状態かロー状態のどちらか一方のままである場合は、上記マイコンが正常でないと判断する構成としてある。
【００２２】
上記のように構成した発明において、マイコンの起動が正常でない場合は、起動信号出力手段から出力されるパルス波はハイ状態のままか、ロー状態のままのいずれかである。そのためマイコン起動判断手段は、起動信号出力手段から出力されるパルス波が、ハイ状態もしくはロー状態のままであった場合に、マイコンが正常に起動していないと判断する。このような構成とすることで、パルス波の波形の状態だけでマイコンの状態が判断できる簡易なマイコンの起動状態の判断方法を適応することができる。
【００２３】
さらに、パルス波形判断手段の具体的な構成の一例として請求項８に記載の電源回路は、上記パルス波形判断手段は、コンデンサを用いてマイコンから入力される信号の波形がパルス波である場合は上記信号を通電することにより、上記マイコンから正常なパルス波が出力されたことを判断する構成としている。
上記のように構成した発明では、マイコンから出力される信号がパルス波であるかを判断するパルス波形判断手段をコンデンサを用いて実現している。そのため、コンデンサを用いた簡易な構成にてパルス波の判断を行うことができえる。
【００２４】
また、マイコン起動判断手段の具体的な構成の一例として、請求項９に記載された電源回路は、上記マイコン起動判断手段は、入力された上記パルス波をダイオードにより整流して上記マイコン正常起動信号を生成する構成としている。
上記のように構成した発明では、マイコン起動判断手段は、ダイオードを用いてパルス波を整流することにより直流のマイコン正常起動信号を生成する。このため、マイコン起動判断手段をダイオードを用いた簡易な構成で実現することができる。
【００２５】
また、電源供給停止手段の構成として請求項１０にかかる発明は、上記電源供給停止手段は、上記マイコン起動判断手段より上記マイコン正常起動信号が出力されない場合は、上記スタート信号を上記スイッチング手段に出力するのを遮断する構成としている。
【００２６】
上記のように構成した発明において、マイコンの起動が正常である場合は、マイコン正常起動判断信号が出力されることにより、上記スタート信号がスイッチング手段に出力される。これにより当該電源回路の一次側から二次側への電源の供給を継続される。逆に、マイコン正常起動判断信号が出力されない場合は、スタート信号がスイッチング手段に出力されない。これにより一次側から二次側への電源の供給を停止する。このような構成により、マイコン正常起動判断信号を用いた、電源回路の安全制御を簡易な構成で実現することが可能となる。また、スイッチング手段としては、ＩＣ内の内部ロジックを用いて構成するものであってもよいし、トランジスタやリレーにて構成するものでもよい。
【００２７】
さらに、電源供給停止手段の具体的な構成の一例として請求項１１にかかる発明は、上記電源供給停止手段は、トランジスタを用いてコレクタを上記マイコンのスタート信号出力端子と並列に接続するとともにエミッタをグランドに接続し、上記電源供給停止手段に出力される上記マイコン正常起動信号に基づいて、上記コレクタとエミッタ端子間の同通を切り替えて上記スイッチング手段への上記パルス波の出力を切り替える構成としている。 
【００２８】
上記のように構成した発明では、電源供給停止手段はトランジスタを用いてコレクタに並列に入力されるマイコンからのスタート信号を、マイコン正常起動信号に基づいてエミッタに接続したグランドに出力するかを切り替える。これによりマイコンから出力される信号の遮断方法を、トランジスタを用いた簡易な構成とすることができる。
【００２９】
また本発明における具体的な構成の一例として本発明の請求項１にかかる発明では、映像を表示する薄型ディスプレイと、マイコンによる制御により上記薄型ディスプレイに映像を表示する制御基板と、商用電源を整流する整流回路と、ロジックＩＣを用いて上記整流回路が整流した電源を交流に変換するＤＣ／ＡＣ回路と、上記ＤＣ／ＡＣ回路が生成した交流電源を上記薄型ディスプレイと上記制御基板に供給するメイントランスから成る電源回路とを有し、上記マイコンから出力するスタート信号のデューティ比を可変して上記ロジックＩＣに出力することにより、上記ＤＣ／ＡＣ回路にて生成される交流電源の電圧を調整する薄型テレビジョン装置において、
当該電源回路は、上記マイコンから出力されるスタート信号が正常なパルス波である場合は上記スタート信号を上記ロジックＩＣに出力するとともに、上記スタート信号が正常なパルス波でない場合は、上記スタート信号を上記ロジックＩＣに出力しないことで、上記ＤＣ／ＡＣ回路による交流電源の供給を停止させるセーフティー回路を有し、上記セーフティー回路は、上記マイコンのスタート信号出力端子と接続するとともに、コンデンサにより入力されたスタート信号がパルス波である場合は上記スタート信号を通過させるパルス波形判断部と、上記パルス波形判断部の出力端子と接続して、入力されたパルス波の正の半波を整流した後平滑化して直流のマイコン正常起動信号を出力するマイコン起動判断回路と、スイッチとしての第一のトランジスタと第二のトランジスタとから成り、上記マイコン正常起動信号が上記第二のトランジスタに出力されない場合は、上記第二のトランジスタにより上記第一のトランジスタに出力されるトリガー信号の供給を停止することで、上記マイコンから出力されるスタート信号を上記第一のトランジスタに接続したグランドに出力して、上記スタート信号の上記ＤＣ／ＡＣ回路への供給を遮断する回路であって、上記第一のトランジスタのコレクタに上記マイコンのスタート信号出力端子を接続し、エミッタをグランドに接続して、ベースにトリガー信号を出力するトリガー信号出力部を接続し、上記第二のトランジスタのコレクタを上記第一のトランジスタのベースと上記トリガー信号を出力するトリガー信号出力部と並列に接続するとともに、コレクタを上記マイコン起動判断部の出力端子と接続し、エミッタをグランドに接続する構成である電源供給遮断部とから成る構成としている。
【発明の効果】
【００３０】
以上説明したように本発明によれば、制御用のマイコンの故障や一時的な誤動作を新たなマイコンやＩＣで監視することなく、ノイズによるラッチアップや破損による故障の際も、安全に電源の供給を停止することができる電源回路を提供することができる。
さらに請求項３にかかる発明によれば、波形を用いてマイコンの正常状態を判断することができる。
また請求項４にかかる発明によれば、故障に強く安定して起動する電源回路を提供することができる。
そして請求項５にかかる発明によれば、副次的な故障を発生させない安定した起動を行う電源回路を提供することができる。
さらに請求項６にかかる発明によれば、後付の装置が必要ない簡易な構成とすることができる。
また請求項７にかかる発明によれば、パルス波の波形状態だけでマイコンの状態が判断できる簡易な構成のマイコンの起動状態の判断方法を適応することができる。
そして請求項８にかかる発明によれば、コンデンサを用いた簡易な構成にてパルス波の判断を行うことができえる。
さらに請求項９にかかる発明によれば、ダイオードを用いた簡易な構成で実現することができる。
また請求項１０にかかる発明によれば、マイコン正常起動判断信号を用いた、電源回路の安全制御を簡易な構成で実現することが可能となる。
そして請求項１１にかかる発明によれば、マイコンから出力される信号の遮断方法を、トランジスタを用いた簡易な構成とすることができる。
さらに請求項１のような、より具体的な構成において、上述した請求項２〜請求項１１の各発明と同様の作用を奏することはいうまでもない。
【発明を実施するための最良の形態】
【００３１】
本発明の電源回路の具体的な説明として、上記電源回路を使用する薄型テレビジョン装置を基に説明する。しかしながら、本発明の電源回路は上記薄型テレビジョン装置に限定されるものではなく、マイコンを使用して電源の供給を制御する電源回路を使用するものであれば応用することができる。
以下、下記の順序に従って本発明の実施形態を説明する。
（１）第一の実施の形態
（２）電源回路の構成
（３）第一の実施の形態のまとめ
（４）第二の実施の形態
（５）第二の実施の形態のまとめ
【００３２】
（１）第一の実施の形態 
以下、図１を参照して、この発明に係る薄型テレビジョン装置を具体化した第１の実施の形態について説明する。図１は薄型テレビジョン装置のブロック構成図である。薄型テレビジョン装置１００は、アンテナが受信したテレビジョン放送を基に、映像と音声を出力するためのものである。そのため、薄型テレビジョン装置は、アンテナ２０が受信したテレビジョン放送から、所定の映像信号と音声信号を抽出するチューナ部３０と、チューナ部３０が生成した映像信号と音声信号に所定の信号処理を行う制御基板４０と、制御基板４０が信号処理を行った映像信号を基に映像を表示する薄型ディスプレイ５０と、制御基板４０が信号処理を行った音声信号を基に音声を出力するスピーカ６０と、上述した制御基板４０と、薄型ディスプレイ５０とスピーカ６０とに電源を供給する電源回路１０とを有する構成である。
【００３３】
上述した構成の薄型テレビジョン装置１００において、電源回路１０を商用電源の供給口にコンセントを介して接続した状態でリモコン装置の電源をオンにすると、電源回路１０は商用電源を基に安定化電源を生成して、制御基板４０、薄型ディスプレイ５０、さらにはスピーカ６０を起動させるための各電源電圧を生成する。この状態でリモコン装置７０のチャンネルキー７０ａを操作してチャンネルを選択すると、チューナ部３０は上記リモコン装置７０にて選択したチャンネルに対応する映像信号と音声信号をアンテナ２０が受信したテレビジョン放送から抽出する。本発明の実施の形態のチューナ部３０は、アナログ放送とディジタル放送の両方を受信可能とするＰＬＬ方式のチューナとしているが、これに限定されずディジタル放送のみ、さらにはアナログ放送のみを受信するものであってもよい。
【００３４】
チューナ部３０が抽出した映像信号と音声信号は制御基板４０に出力され、ここでマイコン４０ａの制御のもと所定の信号処理が施される。制御基板４０は、マイコン４０ａ、マイコン４０ａか所定が所定の演算処理を行うためのプログラムを記録するＥＥＰＲＯＭ４０ｂ、リモコン装置７０からの制御信号を受信してマイコン４０ａに出力するリモコンＩ／Ｆ４０ｃ、チューナ部３０が抽出した映像信号に所定の信号処理を行う映像回路４０ｄと、チューナ部３０が抽出した音声信号に所定の信号処理を行う音声回路４０ｅとを有する構成である。上述した各回路はバス４０ｆにより接続され、マイコン４０ａの制御の基、信号やデータをバス４０ｆを介してやり取りする。
【００３５】
上述した制御基板４０の構成より、チューナ部３０から映像信号が出力されると、マイコン４０ａは、映像信号を映像回路４０ｄに出力する。映像回路４０ｄは入力された映像信号に輝度補正やガンマ補正等の信号処理を行い薄型ディスプレイ５０に出力する。同様にマイコン４０ａは、制御基板４０に入力された音声信号を音声回路４０ｅに出力する。音声回路４０ｅは、リモコン装置７０を用いたユーザからの音量調整指示に基づいて音声を増幅させてスピーカ６０に出力する。上述した構成により本発明の薄型テレビジョン装置１００は映像と音声を出力する。また、本発明の実施の形態である薄型ディスプレイ５０はプラズマディスプレイ装置や、液晶ディスプレイ装置、さらにはブラウン管型ディスプレイ装置を対象としている。また、図１のブロック図上では制御基板４０と電源回路１０とを別の基板上に配置しているが、これに限定されず同一の基板に配置させるものであってもよい。
【００３６】
（２）電源回路の構成
次に本発明の実施の形態での電源回路１０の構成を図２を中心に説明する。図２は、本発明の電源回路の構成と、電源回路により電源を供給される各回路との関係を表した図である。電源回路１０は、商用電源から安定化電源を生成して上述した薄型テレビジョン装置１００を駆動させるための電源を供給するためのものである。上述した機能を実現するために電源回路１０は、商用電源を整流する整流回路１１と、上記整流した電源を平滑する平滑回路１２と、上記直流に変換した電源を再度交流に変換するＤＣ／ＡＣ回路１３、ＤＣ／ＡＣ回路１３が生成した電源を二次側回路と絶縁するとともに、二次側の回路に電源を誘導によって出力するメイントランス１４と、上述した制御基板４０に電源を供給する二次側電源回路１５ａ、１５ｂ、１５ｃとを有する構成である。さらに、ＤＣ／ＡＣ回路１３は、制御基板４０のマイコン４０ａとセーフティー回路１６を介して接続している。
【００３７】
以下に電源回路１０の機能を説明する。電源回路１０をコンセントを用いて商用電源２００と接続した状態で、商用電源２００から供給された交流１００ボルトの電源は整流回路１１と平滑回路１２にて直流に変換された後、ＤＣ／ＡＣ回路１３に出力される。このとき、ユーザがリモコン装置７０の電源キーを操作すると、マイコン４０ａは内部ロジックによりＤＣ／ＡＣ回路１３にパルス波であるスタート信号をスタート信号出力端子４０ａ１より出力する。上述したスタート信号は、マイコン４０ａから所定の電圧を有するパルス波としてＤＣ／ＡＣ回路１３に出力される。ＤＣ／ＡＣ回路１３はマイコン４０ａからスタート信号を受信すると、整流により直流に変換された電源を再度交流に変換し、メイントランス１４の一次側コイル１４ａに交流電源を出力する。
【００３８】
本発明の実施の形態でのＤＣ／ＡＣ回路１３は、ロジックＩＣ１３ａ（スイッチング手段）のスイッチング作用により入力された直流電源から交流電源を生成する。ロジックＩＣ１３ａの内部ロジックは、上述したマイコン４０ａからのスタート信号であるパルス波のデューティ比を基に交流電源を生成する。図３は、ロジックＩＣ１３ａ内で生成される交流電源と、マイコンから入力されるスタート信号との関係を表す図である。同図より電源回路１０の通常の起動状態では、まずマイコン４０ａからスタート信号がハイの状態で所定時間ロジックＩＣ１３ａに出力される。これによりロジックＩＣ１３ａは、整流された電源電圧をコンデンサ１３ｂに逐電することで、起電力を規定電圧まで昇圧して交流電源の正の半波を生成する。次にマイコン４０ａはスタート信号を所定時間ロー状態にしてロジックＩＣ１３ａに出力する。これによりロジックＩＣ１３ａは、コンデンサ１３ｂに電圧を印加するのを停止する。これによりコンデンサ１３ｂは逐電した電圧をメイントランス１４へ放出する。スタート信号のロー状態とハイ状態の比であるデューティ比は、一定の期間継続されこれにより出力電圧の負の半波が形成される。
【００３９】
上述したスタート信号のデューティ比はマイコン４０ａが内蔵するクロック信号に基づいて実行される。具体的には、マイコン内部で発信されるクロック信号に基づいてタイマー部がスタート信号のハイ状態とロー状態のデューティ比を決定する。こうしてＤＣ／ＡＣ回路１３内で生成された交流電源はメイントランス１４の一次側コイルに印加され誘導により二次側コイル１４ｂに印加される。これにより二次側電源回路１５ａ、１５ｂ、１５ｃに生成した電源を分圧して印加する。
【００４０】
二次側電源回路１５ａ、１５ｂ、１５ｃはメイントランス１４より供給された電源を基に、薄型テレビジョン装置１００を構成する各要素に電源を供給するためのものである。二次側電源回路１５ａ、１５ｂ、１５ｃはそれぞれメイントランス１４の二次側コイル１４ｂと巻き線比を異ならせた状態で接続し、分圧によってＤＣ／ＡＣ回路１３が生成した電源を供給される。二次側電源回路１５ａ、１５ｂ、１５ｃが生成する電源の具体的な一例として、二次側電源回路１５ａはマイコン４０ａが起動するための３．３ボルトの交流電源を生成している。また、二次側電源回路１５ｂは制御基板４０のマイコン４０ａ以外を駆動するための５ボルト電源を生成している。さらに二次側電源回路１５ａは、薄型ディスプレイ５０とスピーカ６０、さらにはチューナ部３０を駆動するための電源を生成する。本発明の実施の形態での二次側電源回路の数は３つであるが、二次側電源回路の数はこれに限定されず使用する電源値に応じて変更されるものである。
【００４１】
上述した状態で二次側電源回路１５ａから出力される電源電圧の値が所定の値よりも高い過電圧状態や、極端に低い電圧の場合は、マイコン４０ａはＤＣ／ＡＣ回路１３に出力するスタート信号のデューティ比を変化させ、ＤＣ／ＡＣ回路１３内で生成される交流電源の値を制御する。これによりメイントランス１４に印加する電圧の値を調整し、二次側電源回路１５ａ、１５ｂ、１５ｃに供給する電圧の値を調整する。このようにして、電源回路１０はマイコン４０ａの制御の基二次側へ安全に電源を供給している。
【００４２】
しかしながら、マイコン４０ａ自身の故障により電源回路１０の制御が正常に行われない場合がある。マイコン４０ａの故障としては、マイコン４０ａ自身の破損による故障やノイズ等によるラッチアップがある。上述した状態ではマイコン４０ａは、スタート信号を出力し続けるがその波形は、ハイ状態のままかもしくはロー状態のままとなりパルス波を形成しない。このような状態ではＤＣ／ＡＣ回路１３内で生成される交流電源は安定して生成されず、仮にＤＣ／ＡＣ回路１３が生成する電源の基準電圧が超えた状態で二次側へ供給された場では電源回路１０自体の故障の他、二次側回路の故障の原因となる。そのため、本発明の実施の形態では、セーフティー回路１６が上述したマイコン４０ａの異常を検知する仕組みとなっている。以下に図４を用いてセーフティー回路１６の具体的な構成と機能を説明する。
【００４３】
図４はセーフティー回路の構成を表す図である。セーフティー回路１６は、スタート信号の波形に基づいて、一次側からら二次側への電源の供給を遮断するためのものである。そのためセーフティー回路１６は、パルス波のみを通電するパルス波形判断部１６ａとしてのコンデンサ１６ａ１と、コンデンサ１６ａ１を通過したパルス波を整流した後平滑化してマイコン正常起動信号を生成する正常起動判断部１６ｂと、マイコン起動判断部１６ｂが生成したマイコン正常起動信号を基に、マイコン４０ａからＤＣ／ＡＣ回路１３に出力されるスタート信号を遮断する電源供給遮断部１６ｃとを有する構成である。上述した構成により、セーフティー回路１６に入力されたスタート信号がパルス波でない場合は、電源供給遮断部１６ｃにてスタート信号をＤＣ／ＡＣ回路１３に出力するのを遮断することで、一次側から二次側への電源の供給を遮断する。以下に各部の具体的な構成を説明していく。
【００４４】
パルス波形判断部１６ａは、セーフティー回路１６に入力されたスタート信号がパルス波かどうかを判断する。本発明の実施の形態でのパルス波形判断部１６ａはコンデンサを用いることで、入力されるスタート信号がパルス波かどうかを判断する。コンデンサ１６ａ１は交流のみを通過させ直流を遮断するため、スタート信号がパルス波であればコンデンサ１６ａ１はスタート信号をマイコンマイコン起動判断部１６ｂに出力する。逆に、スタート信号がパルス波でなければコンデンサ１６ａ１はスタート信号をマイコン起動判断部１６ｂに出力しない。これによりパルス波形判断部１６ａはパルス波形判断手段を実現する。
【００４５】
マイコン１６ｂは、ダイオード１６ｂ１、１６ｂ２をコンデンサ１６ａ１の出力端子に対して並列に接続するとともに、ダイオード１６ｂ２をダイオード１６ｂ１に対して逆方向に接続している。また、ダイオード１６ｂ２の出力端子はグランド１６ｂ３と接続している。一方ダイオード１６ｂ１の出力端子は平滑コンデンサ１６ｂ５と抵抗１６ｂ４とに並列で接続している。これにより、コンデンサ１６ａ１を通過したパルス波の負の半波はダイオード１６ｂ２を通過してグランド１６ｂ３に出力される。さらに、コンデンサ１６ａ１を透過したパルス波の正の半波はダイオード１６ｂ１を通過して、平滑コンデンサ１６ｂ５により平滑化されて抵抗１６ｂ４を介して電源供給遮断部１６ｃに出力される。これにより、マイコン起動判断部１６ｂに入力したパルス波であるスタート信号は、正の成分のみからなるマイコン正常起動信号と変化する。これによりマイコン起動判断部１６ｂは直流のマイコン正常起動信号を出力するマイコン起動判断手段を実現する。
【００４６】
電源供給遮断部１６ｃは、マイコン起動判断部１６ｂの出力端子と抵抗１６ｃ１を介して接続するとともに、ベースにトリガー信号を流すことで、スタート信号をグランドに出力する第一のトランジスタ１６ｃ６と、トリガー信号を第一のトランジスタ１６ｃ６のベースへ出力するのを切り替えるトランジスタである第二のトランジスタ１６ｃ２とを有している。具体的な電源供給遮断部１６ｃの回路構成を以下に説明する。マイコン起動判断部１６ｂと接続する抵抗１６ｃ１の出力端子は、第二のトランジスタ１６ｃ２のベースと接続している。また、第二のトランジスタ１６ｃ２のコレクタはトリガー信号を出力するトリガー信号出力部１６ｃ５（トリガー信号出力部）と抵抗１６ｃ４を介して接続し、エミッタをグランド１６ｃ３と接続している。さらに、第二のトランジスタ１６ｃ６のエミッタはグランド１６ｃ７と接続し、コレクタはマイコン４０ａとＤＣ／ＡＣ回路１３との配線であって、スタート信号が出力される信号ライン１７と並列に接続している。
【００４７】
上述した構成のセーフティー回路１６と電源回路１０の信号の流れを説明する。図５は、パルス波としてスタート信号が出力された場合の、セーフティー回路１６の動作と、ＤＣ／ＡＣ回路が供給する電源電圧を表した図である。図６は、パルス波でないスタート信号が出力された場合の、セーフティー回路１６の動作と、ＤＣ／ＡＣ回路が供給する電源電圧を表した図である。図５より、パルス波形判断部１６ａにパルス波のスタート信号が出力されると、コンデンサ１６ａ１は、スタート信号をマイコン起動判断部１６ｂに出力する。マイコン起動判断部１６ｂは、入力されたスタート信号よりマイコン正常起動信号を生成して出力する。次に、マイコン起動判断部１６ｂより出力されたマイコン正常起動信号は抵抗１６ｃ１を介して第二のトランジスタ１６ｃ２のベースに電流を流す。
【００４８】
上述した流れにより、第二のトランジスタ１６ｃ２のコレクタからエミッタが同通し、トリガー信号出力部１６ｃ５から３．３ボルトのトリガー信号が抵抗１６ｃ４に印加される。そのためトリガー信号はグランド１６ｃ３に流れ、トランジスタ１６ｃ６のベースを流れない。これにより、信号ライン１７を流れるスタート信号は遮断されず、ＤＣ／ＡＣ回路１３にスタート信号が出力される。この状態では、ＤＣ／ＡＣ回路１３から二次側回路へ電源の供給が行われる。
【００４９】
逆に、セーフティー回路１６にパルス波が出力されない場合は、図６よりスタート信号はコンデンサ１６ａ１を通過できず、電源供給遮断部１６ｃにはマイコン正常起動信号が供給されない。これにより、第二のトランジスタ１６ｃ２のベースには電流が流れず、トリガー信号出力部１６ｃ５から出力されたトリガー信号は抵抗１６ｃ４を介して第一のトランジスタ１６ｃ６のベースに電流を流す。そのため、第一のトランジスタ１６ｃ６のコレクタ側に接続した信号ライン１７とエミッタ側に接続したグランド１６ｃ７とが同通する。これにより信号ライン１７を流れるスタート信号がグランド１６ｃ７へ引き寄せられ、ＤＣ／ＡＣ回路１３に出力されるスタート信号は遮断される。この状態では、ＤＣ／ＡＣ回路１３の駆動を停止するため、ＤＣ／ＡＣ回路１３から二次側回路への電源の供給は遮断される。これにより電源供給遮断部１６ｃは、電源回路１０の一次側から二次側への電源の供給を停止する電源供給停止手段を実現する。
【００５０】
（３）第一の実施の形態のまとめ
上述したセーフティー回路１６により、スタート信号の波形がパルス波である場合は、マイコン４０ａから出力されたスタート信号は、電源回路１０のＤＣ／ＡＣ回路１３を駆動して一次側から二次側への電源の供給を行う。逆に、マイコン４０ａの故障によりスタート信号がパルス波でない場合は、セーフティー回路１６はマイコン４０ａからＤＣ／ＡＣ回路１３へと出力されるスタート信号を遮断することでＤＣ／ＡＣ回路１３の駆動を停止し、一次側から二次側への電源の供給を停止する。これにより、マイコン４０ａの故障や一時的な誤動作を新たなマイコンやＩＣで監視することなく、ノイズによるラッチアップや破損による故障の際も電源の供給を停止することができる。
【００５１】
（４）第二の実施の形態
上述した第一の実施の形態ではスタート信号の波形を基にマイコン４０ａの起動状態を判断して、電源回路１０の駆動を制御した。しかしながら、マイコン４０ａの起動状態を判断する方法としてはスタート信号に限定されず、正常起動時に一定のデューティ比を有するパルス波であれば、上記パルス波を使用してマイコン４０ａの起動状態を判断することができる。そのため、本発明の第二の実施の形態では、マイコン４０ａに正常起動状態では一定のパルス波を出力させる構成とし、上記パルス波を用いて電源回路１０の駆動を制御する構成とした。以下に図７を用いて第二の実施の形態での具体的な構成を説明する。
【００５２】
図７は第二の実施の形態での電源回路とマイコンとの接続状態を表すブロック図である。同図７は、図２に対してマイコン４０ａとセーフティー回路１６とがクロック信号出力端子とスタート信号出力端子と並列に接続されている点が異なるだけで、後は同じ構成であるため電源回路１０の構成の説明は省略する。マイコン４０ａのクロック信号出力端子４０ａ２は、マイコン４０ａに内蔵される振動子の所定周期の振動を基にマイコン４０ａから出力され、スタート信号の周期や、薄型テレビジョン装置１００を駆動する際の各種周期のカウントに使用されるものである。同図７より、クロック信号出力端子４０ａ２はセーフティー回路１６のコンデンサ１６ａ１の入力端子と並列に接続し、スタート信号出力端子４０ａ１は、セーフティー回路１６の第一のトランジスタ１６ｃ６のコレクタと並列に接続している。
【００５３】
上述した電源回路１０の構成により、マイコン４０ａから出力されるクロック信号が所定のデューティ比をともなってセーフティー回路１６に出力された場合は、セーフティー回路１６は信号ライン１７を流れるスタート信号を遮断しない。これによりスタート信号はＤＣ／ＡＣ回路１３のロジックＩＣ１３ａを駆動して一次側から二次側への電源の供給を行う。一方、マイコン４０ａがノイズによるラッチアップにより起動が停止した場合は、クロック信号出力端子４０ａ２から出力されるクロック信号はマイコン４０ａから出力されない。そのため、セーフティー回路１６にはクロック信号が出力されず、第一のトランジスタ１６ｃ６は信号ライン１７に流れるスタート信号をグランド１６ｃ７に流すことで遮断する。これによりＤＣ／ＡＣ回路１３のロジックＩＣ１３ａにはスタート信号が入力されず、ＤＣ／ＡＣ回路１３は一次側から二次側への電源の供給を停止する。
【００５４】
（５）第二の実施の形態のまとめ
以上説明したように第二の実施の形態では、マイコン４０ａの起動状態をクロック信号の出力状態により判断し、ＤＣ／ＡＣ回路１３による一次側から二次側への電源の供給を制御する。これにより、第一の実施の形態と同様、マイコン４０ａの故障や一時的な誤動作を新たなマイコンやＩＣで監視することなく、電源回路１０による電源の供給を停止することができる。そのため、ノイズによるラッチアップや破損による故障に強い電源回路の安全装置を提供することができる。
【００５５】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【図面の簡単な説明】
【００５６】
【図１】薄型テレビジョン装置のブロック構成図である。
【図２】電源回路の構成と、電源回路により電源を供給される各回路との関係を表した図である。
【図３】ロジックＩＣ内で生成される交流電源と、マイコンから入力されるスタート信号との関係を表す波形図である。
【図４】セーフティー回路の構成を表す回路図である。
【図５】パルス波としてスタート信号が出力された場合の、セーフティー回路の動作と、ＤＣ／ＡＣ回路が供給する電源電圧を表した図である。
【図６】パルス波でないスタート信号が出力された場合の、セーフティー回路の動作と、ＤＣ／ＡＣ回路が供給する電源電圧を表した図である。
【図７】第二の実施の形態での電源回路とマイコンとの接続状態を表すブロック図である。
【図８】従来の電源回路の構成を表すブロック図である。
【符号の説明】
【００５７】
１０…電源回路、１１…整流回路、１２…平滑回路、１３…ＤＣ／ＡＣ回路、１３ａ…ロジックＩＣ、１３ｂ…コンデンサ、１４…メイントランス、１４ａ…一次側コイル、１４ｂ…二次側コイル、１５ａ、１５ｂ、１５ｃ…二次側電源回路、１６…セーフティー回路、１６ａ…パルス波形判断部、１６ａ１…コンデンサ、１６ｂ…マイコン起動判断部、１６ｂ１、１６ｂ２…ダイオード、１６ｂ３…グランド、１６ｂ４…抵抗、１６ｂ５…平滑コンデンサ、１６ｃ…電源供給遮断部、１６ｃ１…抵抗、１６ｃ２…第一のトランジスタ、１６ｃ３…グランド、１６ｃ４…抵抗、１６ｃ５…トリガー信号出力部、１６ｃ６…第二のトランジスタ、１６ｃ７…グランド、１７…信号ライン、２０…アンテナ、３０…チューナ部、４０…制御基板、４０ａ…マイコン、４０ａ１…スタート信号出力端子、４０ａ２…クロック信号出力端子、４０ｂ…ＥＥＰＲＯＭ、４０ｃ…リモコンＩ／Ｆ、４０ｄ…映像回路、４０ｅ…音声回路、４０ｆ…バス、５０…薄型ディスプレイ、６０…スピーカ、７０…リモコン装置、７０ａ…チャンネルキー、１００…薄型テレビジョン装置、２００…商用電源、
【図１】
2008066776.tif 000003
【図２】
2008066776.tif 000004
【図３】
2008066776.tif 000005
【図４】
2008066776.tif 000006
【図５】
2008066776.tif 000007
【図６】
2008066776.tif 000008
【図７】
2008066776.tif 000009
【図８】
2008066776.tif 000010